(57)【特許請求の範囲】
【請求項１】
主食材を収納するカップ本体３と副食材を収納するディップ容器２とからなるディップ容器付きカップで、前記ディップ容器２が、収納部９とフランジ８からなる主体部６と、切り込み線で設けた挟持片１０と残った部分の保持部１１からなる挟持部７と、前記収納部９を密封する蓋１２とから構成され、前記保持部１１の両翼１１ａ、１１ａの一方の翼は主体部６側（内側）から折れ線ｂ、切り込み線、折れ線ｄの順に設けられた線で折り曲げ可能であり、他方の翼は主体部６側（内側）から折れ線ｃ、切り込み線、折れ線ｅの順に設けられた線で折り曲げ可能であり、両切り込み線の外側端部同士を結んだ切り込み線とで設けたコの字形に保持部１１を形成し、使用時に、前記ディップ容器２の前記主体部６と前記挟持部７を折り曲げ、前記挟持部７の前記保持部１１の両翼１１ａ、１１ａを折り曲げ、前記カップ本体３の上縁部を前記挟持片１０と前記保持部１１とで挟持することにより、前記ディップ容器２が前記カップ本体３に保持されることを特徴とするディップ容器付きカップ。
【請求項２】
前記ディップ容器２の前記主体部６と前記挟持部７とが、プラスチックで形成されていることを特徴とする請求項１に記載するディップ容器付きカップ。
【請求項３】
前記カップ本体３が、上縁にカール部を有する紙カップであることを特徴とする請求項１に記載するディップ容器付きカップ。
【請求項４】
前記カップ本体３が、上縁にフランジ８を有するプラスチックカップであることを特徴とする請求項１に記載するディップ容器付きカップ。
【請求項５】
前記ディップ容器２が、使用前に、前記カップ本体３に貼付されていることを特徴とする請求項１に記載するディップ容器付きカップ。
【発明の詳細な説明】
【０００１】
【発明の属する技術分野】
本発明は、菓子、食品などのディップ容器付きカップに関し、さらに詳しくはカップの上縁にディップ容器を固定できるディップ容器付きカップに関するものである。
【０００２】
【従来の技術】
従来より、ソースなどの調味料、粘液状のシロップやチョコレートなどを付けて食べる菓子、食品などにおいて、これらのソースなどの調味料、粘液状のシロップやチョコレートなどの副食材を収納するために主食材とは別の容器、所謂ディップ容器を添付した包装容器は、一般的に使用されている。
【０００３】
【発明が解決しようとする課題】
しかしながら、主食材を収納する容器であるカップ本体と、ソースなどの調味料、粘液状のシロップやチョコレートなどの副食材を収納する容器であるディップ容器とが、使用する時に別々であるため一体感に欠け、使用時に不便である。また、ディップ容器を中に挿入した形式のカップも一部使用されているが、主食材の内容量が減少するという問題がある。
【０００４】
これに対して本発明は、使用前には、ソースなどの調味料、粘液状のシロップやチョコレートなどの副食材を収納するディップ容器を、主食材を収納するカップ本体の胴部あるいは蓋に添付して一体化してあり、使用時には、カップ本体の蓋を開封後、カップ本体の上縁部に、簡単にディップ容器を固定することができ、主食材を食べる時に便利なディップ容器付きカップを提供する。
【０００５】
【課題を解決するための手段】
上記のような課題を解決すべく検討した結果、本発明は、主食材を収納するカップ本体３と副食材を収納するディップ容器２とからなるディップ容器付きカップで、前記ディップ容器２が、収納部９とフランジ８からなる主体部６と、切り込み線で設けた挟持片１０と残った部分の保持部１１からなる挟持部７と、前記収納部９を密封する蓋１２とから構成され、前記保持部１１の両翼１１ａ、１１ａの一方の翼は主体部６側（内側）から折れ線ｂ、切り込み線、折れ線ｄの順に設けられた線で折り曲げ可能であり、他方の翼は主体部６側（内側）から折れ線ｃ、切り込み線、折れ線ｅの順に設けられた線で折り曲げ可能であり、両切り込み線の外側端部同士を結んだ切り込み線とで設けたコの字形に保持部１１を形成し、使用時に、前記ディップ容器２の前記主体部６と前記挟持部７を折り曲げ、前記挟持部７の前記保持部１１の両翼１１ａ、１１ａを折り曲げ、前記カップ本体３の上縁部を前記挟持片１０と前記保持部１１とで挟持することにより、前記ディップ容器２が前記カップ本体３に保持されることを特徴とするディップ容器付きカップである。また、前記ディップ容器２の前記主体部６と前記挟持部７とが、プラスチックで形成されていることを特徴とし、前記カップ本体３が、上縁にカール部を有する紙カップあるいは上縁にフランジ８を有するプラスチックカップであることを特徴とする。さらに、前記ディップ容器２が、使用前に、前記カップ本体３の胴部あるいは蓋部に貼付されていることを特徴とする。
【０００６】
本発明によれば、使用前には、ソースなどの調味料、粘液状のシロップやチョコレートなどの副食材を収納するディップ容器を、主食材を収納するカップ本体の胴部あるいは蓋に添付して一体化してあり、使用時には、カップ本体の蓋を開封後、カップ本体の上縁部に、簡単にディップ容器を固定することができ、主食材を食べる時に便利なディップ容器付きカップを得ることができる。
【０００７】
【発明の実施の形態】
以下に、図面を参照しながら、本発明について、さらに詳しく説明する。
【０００８】
本発明によるディップ容器付きカップＡは、カップ本体１とディップ容器２とから構成され、使用前では、図１に示すように、ディップ容器２がカップ本体１の胴部３あるいは蓋部４に貼付され、カップ本体１とディップ容器２とが一体となっている。
【０００９】
使用時には、図２に示すように、蓋部４が開封されたカップ本体１の胴部３の上縁部をディップ容器２の挟持部７で挟み、ディップ容器２の主体部６を水平になるように折り曲げ、主体部６の蓋１２を開封して使用する。
【００１０】
つぎに、詳しく形状および材料構成について説明する。まず、カップ本体１は、胴部３と蓋部４とからなっている。胴部３は、一般的な紙カップでもよく、材料構成としては、紙を主強度材とし、最内層に熱可塑性樹脂を有することを基本としている。例えば、紙／ポリエチレン、ポリエチレン／紙／ポリエチレン、ポリプロピレン／紙／ポリプロピレン、紙／ポリエチレン／アルミニウム／ポリエチレン、ポリエチレン／紙／ポリエチレン／アルミニウム／ポリエチレン、ポリエチレン／アルミニウム／紙／ポリエチレンなどが挙げられる。
この紙カップの上縁では、カール部５を形成していることが、ディップ容器２が確実に保持されるので好ましい。
また、胴部３は、プラスチックカップでもよく、プラスチックの材料としては、ポリスチレン樹脂、ポリプロピレン樹脂、ポリエチレン樹脂、ポリ塩化ビニル樹脂、ポリエチレンテレフタレート樹脂などがあげられる。このプラスチックカップの場合も、上縁にフランジを設けたほうが、ディップ容器２が確実に保持されるので好ましい。
蓋部４は、胴部３に材料に合わせてイージーピール性のある材料を選定する。例えば、ポレエチレンテレフタレート／アルミ蒸着／ポリエチレン／ホットメルト接着剤、アルミニウム箔／ホットメルト接着剤などの構成があげられる。
【００１１】
つぎに、ディップ容器２は、図３、図４、図５に示すように、主体部６と、挟持部７と、蓋１２とからなっている。主体部６は、フランジ８と収納部９とからなり、挟持部７は、挟持片１０と両翼１１ａを含む保持部１１とからなっている。
主体部６と挟持部７とは、折れ線ａで９０度以上の角度で折り曲げることができる。この折れ線ａの両側の、挟持部７の保持部１１の両翼１１ａと主体部６との間（ａ´の部分）は切れ線となっている。挟持部７では、挟持片１０を切り込み線で設け、残った部分を保持部１１とし、その両翼１１ａは、折れ線ｂ、ｃ、ｄ、ｅで下側に略４５度以上の角度に折り曲げることができる。挟持部７の挟持片１０と保持部１１との間にカップ本体１の胴部３の上縁が押し込まれることになり、切り込まれた挟持片１０の最奥部では、保持部１１にカップ本体１の胴部３の上縁であるカール部あるいはフランジの形状に合わせた形の凹部１１ｂを、そして、挟持片１０にも凹部１０ａを設ける。このことによって、カップ本体１の胴部３にディップ容器２の挟持部７を挟んで差し込んだ時に、ディップ容器２が確実に保持される。実際には、主体部６の収納部９には、ソースなどの調味料、粘液状のシロップやチョコレートなどの副食材を収納し、蓋１２でシールし、密封する。この時、蓋１２の材料としては、開封し易いように、易開封用の蓋材を選定する。
【００１２】
このディップ容器２の材料としては、ポリプロピレン樹脂、ポリエチレン樹脂、ポリ塩化ビニル樹脂、ポリエチレンテレフタレート樹脂、ポリスチレン樹脂などのプラスチックを使用することができる。
【００１３】
このディップ容器２を製造するには、上記のプラスチック材料からなるシートを真空成形などで成形し、後加工で折れ線、切れ線の加工をすることにより行うことができる。または、上記のプラスチック材料を用いて、押し出し成形などにより製造することもできる。
【００１４】
使用前においては、ディップ容器２はカップ本体１の胴部３あるいは蓋部４の一部にホットメルト接着剤などを使用して、部分的に接着、固定することによって、カップ本体１とディップ容器２とを一体としている。
【００１５】
実際に、本発明のディップ容器付きカップＡの使用方法について具体的に説明する。
まず、カップ本体１の胴部３あるいは蓋部４に貼付されているディップ容器２を、図６−ａに示すように、剥がし取る。つぎに、カップ本体１の蓋部４を、図６−ｂに示すように、剥がして内容物を取り出せるように開封する。つづいて、ディップ容器２の蓋１２を剥がし、図６−ｃに示すように、ディップ容器２の挟持部７を主体部６に対して略９０度の角度で下側に折り曲げて、図６−ｄに示すように、挟持部７の挟持片１０と保持部１１とでカップ本体１の胴部３の上縁を挟むようにして、カップ本体１の胴部３の上縁のカール部あるいはフランジが、挟持片１０と保持部１１の最奥部に達するまで差し込む。この場合、挟持片１０は、カップ本体１の胴部３の内側に、保持部１１は外側になる。最後に、図６−ｅに示すように、保持部１１の両翼１１ａを外側に４５〜９０度の角度で折り曲げ、保持部１１の両翼１１ａの上端で副食材が収納されたディップ容器２の主体部６を保持する。
【００１６】
このようにカップ本体１とディップ容器２とを組み合わせた後、図７に示すように、カップ本体１を片手で持ち、別の方の手で内容物の主食材を取り出し、ディップ容器２に収納された副食材を付けて食べることができる。
【００１７】
【実施例】
次に、本発明について実施例をあげて、さらに具体的に説明する。
まず、カップ本体として坪量２８０ｇ／ｍ2 のカップ原紙を用い、表面に、４０μの厚さの低密度ポリエチレン樹脂層を、裏面には、１５μの低密度ポリエチレンを押し出しコーティング法によって設けた積層体を作成した。
つぎに、この積層体の表面に絵柄などを印刷し、そして、打ち抜き加工で胴部用のブランクにし、紙カップ成型機によって紙カップを作成した。この紙カップについては、内容量が３００ＣＣ（満注時）、胴部上端内径が８８ｍｍ、底部内径が６５ｍｍ、そして高さが１０５ｍｍとした。
一方、ディップ容器については、厚さ１ｍｍのポリプロピレン樹脂のシートを使用して、真空成形において成形し、後加工で切れ線を入れ、図２に示す形状に作成した。
【００１８】
上記の紙カップには、主食材であるスティック状の菓子を充填し、蓋部で熱シールした、ディップ容器には、副食材である粘液状のチョコレートを収納部に充填し、蓋で熱シールし、紙カップの胴部にホットメルト接着剤を用いて部分的に接着し、ディップ容器付きカップを作成した。
【００１９】
実際に使用する時に、まず、紙カップの胴部に貼付されているディップ容器を剥がし取り、紙カップの蓋部を剥がして内容物を取り出せるように開封した。つぎに、ディップ容器の蓋を剥がし、ディップ容器の挟持部を主体部に対して９０度の角度で下側に折り曲げて、挟持片が紙カップの胴部の内側に、保持部が外側になるように、挟持部の挟持片と保持部とで紙カップの胴部の上縁を挟むようにして、紙カップの胴部の上縁のカール部が、挟持片と保持部の最奥部に達するまで差し込んだ。最後に、保持部の両翼を外側に４５度の角度で折り曲げ、保持部の両翼の上端で副食材が収納されたディップ容器の主体部を保持した。
このように紙カップ本体とディップ容器とを組み合わせた後、紙カップを片手で持ち、別の方の手で内容物の主食材であるスティック状の菓子を取り出し、ディップ容器に収納された副食材である粘液状のチョコレートを付けて食べることができた。
【００２０】
【発明の効果】
本発明によれば、使用前には、ソースなどの調味料、粘液状のシロップやチョコレートなどの副食材を収納するディップ容器を、主食材を収納するカップ本体の胴部あるいは蓋に貼付して一体にしてあり、使用時には、カップ本体の蓋を開封後、カップ本体の上縁部に、簡単にディップ容器を固定することができ、主食材を食べる時に便利なディップ容器付きカップを得ることができる。
【図面の簡単な説明】
【図１】本発明によるディップ容器付きカップの一実施例を示す斜視図である。
【図２】本発明によるディップ容器付きカップの一実施例の使用時を示す斜視図である。
【図３】本発明によるディップ容器を示す斜視図である。
【図４】本発明によるディップ容器を示す斜視図である。
【図５】本発明によるディップ容器を示す斜視図である。
【図６】本発明によるディップ容器付きカップを使用する過程を説明する図である。
【図７】本発明によるディップ容器付きカップを使用している図である。
【符号の説明】
Ａ  ディップ容器付きカップ
１  カップ本体
２  ディップ容器
３  胴部
４  蓋部
５  カール部
６  主体部
７  挟持部
８  フランジ
９  収納部
１０  挟持片
１１  保持部
１２  蓋
１０ａ凹部（挟持片）
１１ａ凹部（保持部）
ａ〜ｅ折れ線
ａ´ｆ切れ線
【図１】
0004139474.tif 000002
【図２】
0004139474.tif 000003
【図３】
0004139474.tif 000004
【図４】
0004139474.tif 000005
【図５】
0004139474.tif 000006
【図６】
0004139474.tif 000007
【図７】
0004139474.tif 000008